(57)【要約】【課題】従来の両面引出しは、化粧板が引出し本体を収納する空洞部よりも小さいため、化粧板と空洞部間に隙間ができ、該隙間からゴキブリやホコリが侵入するという衛生面での問題があり、また引出しを開ける反対側の化粧板が空洞部に引っ込むため、非常に違和感のあるものであった。【解決手段】本発明の両面引出しは、空洞部よりも大きな化粧板を設置し、該化粧板には本体を係合して引き出すことのできる係合装置を設置した。係合装置としては、フック、長尺材、マグネット式プッシュラッチ等である。【選択図】図１
2004081758.tif 000002
【特許請求の範囲】
【請求項１】
家具の連通した空洞部内に引出し本体が収納され、しかも空洞部の両入口には空洞部よりも大きな化粧板が設置されており、該化粧板には化粧板を開ける方向に引いたときに引出し本体を係合して化粧板とともに引出し本体を引き出すことのできる係合装置が設置されていることを特徴とする両面引出し。
【請求項２】
前記係合装置は、本体の係合部に係合できる回動自在なフックであることを特徴とする請求項１記載の両面引出し。
【請求項３】
前記係合装置は、本体を係合できる上下動自在な長尺材であることを特徴とする請求項１記載の両面引出し。
【請求項４】
前記係合装置は、本体に取り付けた鉄板を磁力で吸着するマグネット式プッシュラッチであることを特徴とする請求項１記載の両面引出し。
【請求項５】
前記係合装置は、ローラーガイドに穿設した孔と、該孔に嵌合可能なローラー保持体のダボであることを特徴とする請求項１記載の両面引出し。
【発明の詳細な説明】
【０００１】
【発明が属する技術分野】
本発明は、家具の両側から引出し本体を引き出すことができる両面引出しに関する。
【０００２】
【従来の技術】
一般に台所の炊飯器で炊いたご飯は台所で茶碗によそい、台所で調理したおかずは台所で皿に盛り付ける。そして食事のときは、ご飯をよそった茶碗やおかずを盛り付けた皿を食堂に運んで食事が行われる。従って、茶碗や皿などの食器類は台所での盛り付けに便利なように台所の収納棚、たとえば調理台の下の棚、シンクの上の吊り棚、食器棚等に置いてある。また茶碗や皿ばかりでなく、箸、スプーン、フォーク等の食事用具等も収納棚に置かれており、食事のときには、ご飯やおかずを盛り付けた茶碗、皿等と一緒に食堂に運んでいた。
【０００３】
また食事のときにおかずを取り分ける取り皿や、おかずを取り分けるためのサーバー、取り箸等の食事用小物も食器と同じ台所の収納棚に入れられていた。そのため食事用小物が必要になったときにそれらを持ってくる仕事は、食事用小物の収納先を熟知している主婦の役目となっており、主婦は食事中でもゆっくり食事を取れないことが多い。このとき食堂と台所が離れているような間取りの家では、歩く歩数が多くなって小物を取りに行くことがさらに面倒となり、主婦にとっては嫌う仕事のひとつとなっていた。
【０００４】
近時、食堂と台所がカウンターを隔てて隣り合っているという所謂対面式キッチンが多く採用されるようになってきた。この対面式キッチンは食堂に居る人と話をしながら調理をしたり、台所から食堂のテレビを見ながら調理をしたりすることができるため主婦に好まれている台所である。対面式キッチンは、前述のように食事中に小物が必要になったときは食堂と台所が近いため歩く距離は短くて済む。しかしながら、このように食堂と台所が近いとはいえ、食事の途中で席を立って歩くことは、やはり主婦にとって嫌な仕事に変わりはない。
【０００５】
このような理由から、対面式キッチンでは食堂と台所を仕切ったカウンターに両面引出しを設置したものが提案されていた（特開平５−２７７０１７号、特開平１１−３１８６１１号）。この両面引出しとは、台所側と食堂側の両側から同一の引出しが引き出せるようになっているものである。この両面引出しに食事用小物を入れておけば、食事中に食事用小物が必要になったときでも該両面引出しの近くに座っている人が座ったまま、或いは席を立っても数歩の歩みで食堂側から食事用小物が取り出せるため、非常に便利なものである。
【０００６】
ところで従来の両面引出しは、取っ手の付いた化粧板が引き出し本体の両側に固定されており、一方の取っ手を持って引出しを引くと、もう一方の取っ手の付いた化粧板が引出し本体を収納する空洞部の中へ進入していくようになっていた。この構造の両面引出しは両側から引出しを引出せるようにするため、どうしてもインセットタイプ、即ち化粧板を空洞部よりも小さくしなければならないものであった。
【０００７】
【発明が解決しようとする課題】
特開平５−２７７０１７号の両面引出しは、引出し本体を引き過ぎると引出し本体が引出し本体を収納した空洞部から外に出てしまい、引出しの中に入れておいた食事用小物を散乱させてしまうという問題があった。また特開平１１−３１８６１１号公報の両面引出しは、引出し本体を摺動させる遊動保持体がストッパーで停止するため、引き出し本体が外に飛び出すことはない。しかしながら、この両面引出しは引出し本体を高さの高い遊動保持体を設置しなければならないため、引出し本体の高さが見た目よりも浅くなっており、実際に入れる食事用小物の量は少なくなるという使い勝手の悪いものであった。
【０００８】
これら従来の両面引出しは、インセットタイプであるため、カウンターのような家具の前板と両面引出しの化粧板を揃えた面一状態にしたときに、構造上、どうしても家具の前板の下部と両面引出しの化粧板の上部間に隙間できてしまうものであった。このような隙間は、ゴキブリやホコリ等の侵入口となって食事用小物を汚すため衛生状好ましいものではない。また従来の両面引出しは、一方から引出しを引くと他方の化粧板がカウンターの空洞部内に進入してしまうため、奇異に感じることがあった。たとえば両面引出しの作動状態を知らない第三者が食堂に居たとする。このときに、台所側から引出しを引くと食堂側の化粧板が空洞部の奥方に移動するという不思議な現象に遭遇し、この第三者を驚愕させてしまうことになる。
【０００９】
本発明は、引出しを引いたときに引出し本体が外に飛び出すことがなく、また引出しの高さを十分にとることができ、しかも化粧板の大きさを家具の空洞部よりも大きくして化粧板が家具の前板との隙間をなくすことができるばかりでなく、家具の一方から引出しを引いたときに家具のもう一方の引出しの化粧板は空洞部の奥方に移動しないという両面引出しを提供することにある。
【００１０】
【発明解決するための手段】
本発明者は、引出しの化粧板を家具の空洞部よりも大きいアウトセットタイプにすれば家具の前板と引出しの化粧板間にホコリやゴキブリが侵入するような隙間ができず、また一方の化粧板を引出したときだけ該化粧板に本体が付随して移動し、もう一方の化粧板が空洞部の入口で停止するようにすれば、従来の両面引出しの問題が解決できることに着目して本発明を完成させた。
【００１１】
本発明は、家具の連通した空洞部内に引出し本体が収納され、しかも空洞部の両入口には空洞部よりも大きな化粧板が設置されており、該化粧板には化粧板を開ける方向に引いたときに引出し本体を係合して化粧板とともに引出し本体を引き出すことのできる係合装置が設置されていることを特徴とする両面引出しである。
【００１２】
【発明の実施の形態】
請求項２における係合装置とは、前後両方の化粧板に取り付けた回動自在なフックである。該フックは、化粧板を開ける方向に引いたときに、引出し本体の一部に係合して引出し本体を化粧板とともに引出すことができる。
【００１３】
請求項３における係合装置とは、前後両方の化粧板に軸支された長尺材である。該長尺材は化粧板を開ける方向に引いたときに、長尺材の先端が上方に移動して引出し本体の一部に係合し、引出し本体を化粧板とともに引出すことができるようになっている。
【００１４】
請求項４における係合装置とは、前後両方の化粧板に取り付けたマグネット式プッシュラッチである。該マグネット式プッシュラッチは、化粧板を一度押してから開ける方向に引くと、引出し本体の一部に取り付けた鉄板に磁力で吸着して引出し本体を化粧板とともに引出すものである。
【００１５】
請求項５における係合装置とは、化粧板を開ける方向に引いたときにローラーガイドに穿設した孔にローラー保持体の突出したダボが嵌合するものであり、該嵌合により引出し本体が化粧板とともに引出されるようになっている。
【００１６】
【実施例】
以下図面に基づいて本発明を説明する。実施例を説明する符号は、前側化粧板に関連した分部にはａを付し、後側化粧板に関連した部分にはｂを付してある。そして前側化粧板に関連した分部と後側化粧板に関連した分部は同一構造であるため、前側化粧板関連部分だけを説明し、後側化粧板関連分部は説明を省略したところもある。
【００１７】
図１〜８は、本発明の第１実施例を説明する図である。家具１は前後方に連通した空洞部２が形成されている。空洞部２の内部には引出し本体３が収納されており、空洞部２の床面と引出し本体３の底面の間は少し間隔があいている。空洞部２の前後の入口には、前側化粧板４ａと後側化粧板４ｂが配置されている。
【００１８】
前側化粧板４ａの両側には図１に示すようにスライドレール５ａの移動側レール６ａの端部が取り付けられており、固定側レール７ａが空洞部２の側壁に固定されている。同様に後側化粧板４ｂの両側にもスライドレール５ｂの移動側レール６ｂの端部が取り付けられており、固定側レール７ｂが空洞部２の側壁に固定されている。また引出し本体３の両側下部には４個の戸車８が取り付けられており、該戸車の位置と一致した空洞部２の側壁には戸車レール９が固定されている。
【００１９】
前後の化粧板４ａ、４ｂを閉めた状態では、図２に示すようにスライドレール５ａ、５ｂは移動レール６ａ、６ｂ全体が固定レール７ａ、７ｂの中に納まっている。そして図３に示すように前側化粧板４ａを引き出したときには前側化粧板４ａに取り付けられた移動レール６ａが固定レール５ａから出てくるようになっており、図４に示すように後側化粧板４ｂを引き出したときには後側化粧板４ｂに取り付けられた移動レール６ｂが固定レール５ｂから出てくるようになっている。
【００２０】
前側化粧板４ａの下部で前述空洞部２の床面と引出し本体３の底面間の隙間に位置するところには、係合装置のフック１０が回動自在に取り付けられている。図６、８に示すようにフック１０には係合部１１と解除部１２が形成されている。係合部１１は円弧状となっていて後述係合ピンに係合したときに係合ピンを確実に把持するようになっているおり、解除部１２は直線状で後述解除ピンで押圧されたときにフックを容易に回動できるようになっている。該フックは図８に示すようにツル巻バネ１３により係合部１１方向（矢印Ａ）にバネ付勢されている。前側化粧板４ａを閉めた状態（図５、６）のときにフック１０の解除部１２をツル巻バネ１３のバネ付勢に抗して押すことのできる解除ピン１４が空洞部２の床面に立設されており、また引出し本体３の底面にはフック１０の係合部１１から横方にずれた位置に係合ピン１５が下向きに突設されている。同様にして後側化粧板４ｂにもフック、解除ピン、係合ピン等の係合装置が設置されているが、前側化粧板における係合装置と同一であるため、説明は省略する。
【００２１】
次に上記構成からなる両面引出しの作動について説明する。図５、６に示すように前側化粧板４ａを閉めた状態では、フック１０の解除部１２が空洞部２の床面に立設した解除ピン１４により押されて係合部１１は係合ピン１５から外れた位置にある。そして引出しを前方向から開けるため前側化粧板４ａを開ける方向に引くと、前側化粧板４ａに取り付けられたフックが前側化粧板４ａとともに解除ピン１４から離れるため、図７、８に示すようにフック１０がバネ力で図中右方（矢印Ａ）に回動し、フック１０の係合部１１が引出し本体３の底面から突出した係合ピン１５に係合する。そしてフック１０が係合ピン１５に係合すると、引出し本体３が前側化粧板４ａとともに前方に引き出されるようになる。このとき後側化粧板４ｂはフックの係合部が係合ピンから離れているため、空洞部２の入口で留まっており、スライドレール５ａは移動レール６ａが前側化粧板４ａとともに移動するが、もう一方のスライドレール５ｂの移動レール６ｂは固定レール７ｂの中に収納されたままとなっている。このとき引出し本体３の両側に取り付けられた戸車８は戸車レール９に沿って走行し、引出し本体の移動を円滑にする。
【００２２】
次に第２実施例の両面引出しを図９〜１１に基づいて説明する。前側化粧板と後側化粧板に取り付けたスライドレールの移動レールや空洞部の側壁に取り付けたスライドレールの固定レール、および引出し本体の戸車や空洞部の側壁に取り付けた戸車レールについては、実施例１と同一であるため説明は省略する。
【００２３】
前側化粧板４ａには、係合装置である長尺の係合体１６ａが軸支されている。本発明に使用する係合体は、パイプや板材等の長尺材である。該係合体は前側化粧板に取り付けた軸により先端が大きく上下動するようになっている。係合体１６ａは、引出し本体２の全長よりも少し長くなっており、先端が上方に屈曲した係合片１７ａを形成している。また係合体１６ａは、前側化粧板４ａに軸支された部分から少し中程のところが上方に湾曲した凹部１８ａとなっている。そして図９に示すように前側化粧板４ａを閉めた状態のときに、係合体１６ａの凹部１８ａと一致したところの空洞部側壁または空洞部床面にはローラー１９ａが設置されている。同様にして後側化粧板４ｂにも係合体１６ｂが軸支して設置されている。
【００２４】
第２実施例における両面引出しの作動状態を説明する。図９に示すように前側化粧板４ａを閉めた状態では、前側化粧板４ａに軸支された係合体１６ａの凹部１８ａがローラー１９ａに位置しているため、係合体先端の係合片１７ａは引き出し本体２の後部よりも下がっている。そして引出しを前方向から開けるため前側化粧板４ａを開ける方向に引くと、前側化粧板に軸支された係合体１６ａの凹部１８ａがローラー１９ａから外れて係合体１６ａの直線部分がローラー１９ａに乗るため、係合体１６ａは先端の係合片１７ａが上方に持ち上がって引出し本体３の後部に係合する。そのため前側化粧板４ａを引くと、上方に屈曲した係合片１７ａが引出し本体３を係合して前側化粧板４ａとともに引き出される。このとき後側化粧板４ｂは、該化粧板に軸支された係合体１６ｂの凹部１８ｂがローラー１９ｂに止められて全く移動せず、空洞部２の入口に留まっている。
【００２５】
そして次に第３実施例の両面引出しを図１２〜１４に基づいて説明する。前側化粧板と後側化粧板に取り付けたスライドレールの移動レールや空洞部の側壁に取り付けたスライドレールの固定レール、および引出し本体の戸車や空洞部の側壁に取り付けた戸車レールについては、実施例１と同一であるため説明は省略する。前側化粧板４ａには係合装置であるマグネット式プッシュラッチ２０ａが固定されており、該マグネット式プッシュラッチと一致した引出し本体２には磁力に吸着する鉄板２１ａが取り付けられている。本発明に使用するマグネット式プッシュラッチとは、吸着物が近づいていても吸着物を吸着せず、吸着物でマグネット式プッシュラッチを押すと磁力が作用して吸着物を吸着するものである。
【００２６】
第３実施例の両面引出しにおける作動状態を説明する。図１２に示すように前側化粧板４ａを閉めた状態では、前側化粧板４ａに固定したマグネット式プッシュラッチ２０ａは、磁力で引出し本体３を吸着していない。そこで引出しを開けるために前側化粧板４ａを少し押してマグネット式プッシュラッチ２０ａの磁力を作用させる。するとマグネット式プッシュラッチ２０ａは磁力の作用で引出し本体３に取り付けられた鉄板２１ａを吸着する。その後、前側化粧板４ａを引き出すと、前側化粧板に固定されたマグネット式プッシュラッチ２０ａが引出し本体３を磁力で引き出すようになる。このとき、後側化粧板４ｂは空洞部２の入口に留まっている。引出しを閉めるときには、前側化粧板４ａを空洞部２の入口に当たるまで押し、その後、前側化粧板４ａを少し引いて引出し本体３の鉄板２１ａからマグネット式プッシュラッチ２０ａを離すと、マグネット式プッシュラッチの磁力が作用しなくなる。
【００２７】
続いて第４実施例の両面引出しを図１５〜１９に基づいて説明する。前側化粧板４ａにはローラー保持体２２ａの端部が固定されている。該ローラー保持体は断面Ｌ字型で一端が前側化粧板４ａに固定され、他端にローラー２３ａが回動自在に設置されたものである。ローラー保持体２２ａのローラー２３ａ設置部に近いＬ字型底面にはダボ２４ａが突設されている。またローラー保持体のローラー２３ａと一致した空洞部２の側壁には、ローラーガイド２５ａが取り付けられている。該ローラーガイドは、断面がＣチャン形状であり、ローラー２３ａが安定走行できるようになっている。またローラーガイド２５ａは引出し本体３よりも長くなっており、図１８、１９に示すように引出し本体３から出た部分は下方に屈曲した屈曲部２６ａを形成している。前側化粧板４ａを閉めた状態（図１５、１８）のときは、ローラー２３ａが屈曲部２６ａの位置にあり、この状態においてダボ２４ａから少し前側化粧板４ａよりのローラーガイド２５ａの底面にはダボ２４ａを容易に嵌合できる孔２７ａ（図１８の円内））が穿設されている。
【００２８】
第４実施例の両面引出しにおける作動状態について説明する。前側化粧板４ａを閉めた状態は、ローラー２３ａがローラー保持体２２ａの屈曲部２６ａにあるため、図１８に示すようにローラー保持体２２ａの底面とローラーガイド２５ａの底面は離れている（矢印Ｂ）。そして引出しを開けるために前側化粧板４ａを引くと、前側化粧板４ａに固定されたローラー保持体２２ａが図中左方に移動するため、ローラー保持体２２ａに設置されたローラー２３ａがローラーガイド２５ａの屈曲部２６ａから直線部に移動する。するとローラー保持体２２ａのダボ２４ａがローラーガイド２５ａの底面に接触するようになり、そのままローラー保持体２２ａが左方に移動すると、ローラー保持体のダボ２４ａがローラーガイド２５ａの孔２７ａと嵌合する（図１９の円内）。そのため、ローラー保持体２２ａのさらなる移動にともなってローラーガイドが取り付けられた引出し本体３が引き出されるようになる。このとき後側化粧板４ｂは、そのまま空洞部２の入口で留まっている。
【００２９】
本発明は、アウトセットタイプの両面引出しであって、本体を係合する係合装置が化粧板に設置されたものであれば、本発明の技術思想を逸脱しないかぎり、本発明に属するものである。
【００３０】
【発明の効果】
以上説明したように本発明の両面引出しは、従来の両面引出しでは全く考えられなかったアウトセットタイプ、即ち引出し本体を収納する空洞部よりも化粧板を大きくしたため、化粧板と空洞部間に隙間が生ぜず、引出し内部にゴキブリやホコリ等が全く侵入しないという衛生面に優れたものであり、また引出しを一方から引き出したときに、もう一方の化粧板が空洞部の入口に留まっていられることから、引出しを開ける反対側から見ても全く違和感がないという従来にない優れた効果を奏するものである。
【図面の簡単な説明】
【図１】第１実施例の分解斜視図
【図２】第１実施例の化粧板を閉めた状態の側面図
【図３】同前側化粧板を開けた状態の側面図
【図４】同後側化粧板を開けた状態の側面図
【図５】同前側化粧板を閉めた状態の分部拡大斜視図
【図６】同前側化粧板を閉めた状態のフックの拡大平面図
【図７】同前側化粧板を開けた状態の分部拡大図
【図８】同前側化粧板を開けた状態のフックの拡大平面図
【図９】第２実施例の化粧板を閉めた状態の側面図
【図１０】同前側化粧板を開けた状態の側面図
【図１１】同後側化粧板を開けた状態の側面図
【図１２】第３実施例の化粧板を閉めた状態の側面図
【図１３】同前側化粧板を開けた状態の側面図
【図１４】同後側化粧板を開けた状態の側面図
【図１５】第４実施例の化粧板を閉めた状態の側面図
【図１６】同前側化粧板を開けた状態の側面図
【図１７】同後側化粧板を開けた状態の側面図
【図１８】同前側化粧板を閉めた状態の分部拡大側面図
【図１９】同前側化粧板を開ける状態の分部拡大側面図
【符号の説明】
１　家具
２　空洞部
３　引出し本体
４ａ　前側化粧板
４ｂ　後側化粧板
１０　フック
【図１】
2004081758.tif 000003
【図２】
2004081758.tif 000004
【図３】
2004081758.tif 000005
【図４】
2004081758.tif 000006
【図５】
2004081758.tif 000007
【図６】
2004081758.tif 000008
【図７】
2004081758.tif 000009
【図８】
2004081758.tif 000010
【図９】
2004081758.tif 000011
【図１０】
2004081758.tif 000012
【図１１】
2004081758.tif 000013
【図１２】
2004081758.tif 000014
【図１３】
2004081758.tif 000015
【図１４】
2004081758.tif 000016
【図１５】
2004081758.tif 000017
【図１６】
2004081758.tif 000018
【図１７】
2004081758.tif 000019
【図１８】
2004081758.tif 000020
【図１９】
2004081758.tif 000021